(57)【要約】      （修正有）【課題】構造が安定で壊れにくいソフトテニスボールを提供する。【解決手段】ボール空間１０を内部に囲むように、弾性ゴムにより中空の球体に作成されるボール本体と、ボール本体にあるバルブエリア３からボール空間１０に向って突起するよう、ボール本体と同じ素材によりボール本体と一体的に作成されたゴムバルブ部３１と、ゴムバルブ部３１内に埋め込まれている気密部３２と、を備え、バルブエリア３の外周面には、マーク部１１が凹設されており、気密部３２は、ゴム含有量が、ゴムバルブ部３１より高いゴム素材により作成される。【選択図】図４
0003224821.tif 000002
【実用新案登録請求の範囲】
【請求項１】
ボール空間を内部に囲むように、弾性ゴムにより中空の球体に作成されるボール本体と、
前記ボール本体にあるバルブエリアから前記ボール空間に向って突起するよう、前記ボール本体と同じ素材により前記ボール本体と一体的に作成されたゴムバルブ部と、
前記ゴムバルブ部内に埋め込まれている気密部と、を備え、
前記バルブエリアの外周面には、マーク部が凹設されており、
前記気密部は、ゴム含有量が、前記ゴムバルブ部より高いゴム素材により作成された
ことを特徴とするソフトテニスボール。
【請求項２】
前記ボール本体は、前記バルブエリアが含まれる半球殻状の第１の半球部材と、前記第１の半球部材と互いの縁部同士が合着されている半球殻状の第２の半球部材と、から作成されたものであり、
前記ゴムバルブ部は、前記バルブエリアから前記ボール空間へ延伸した中空の柱状である延伸部と、前記延伸部の縁部に接続されている蓋部と、を有し、
前記延伸部と前記蓋部は、共に収容空間を画成し、
前記気密部は、前記収容空間内に収容されている
ことを特徴とする請求項１に記載のソフトテニスボール。
【考案の詳細な説明】
【技術分野】
【０００１】
本考案はテニスボールに関し、ソフトテニスボールに関する。
【背景技術】
【０００２】
図１及び図２に、従来のソフトテニスボールの一例が示されている。図１のように、従来のソフトテニスボールは、２つの半球部４と、２つの半球部４における一者の内周面の中央に接着される円柱状のバルブ５と、を有する。２つの半球部４は、中空の球状になるよう、互いの縁部が合着されている。図２に示されているように、前記一者の外周面には、バルブ５の配置位置に対応する箇所にマーク部４１が凹設される。バルブ５は、弾性ゴムにより作成される。
【０００３】
空気を注入するときには、空気注入用の注射針（図示せず）の先端をマーク部４１からソフトテニスボールの内部まで挿入して、空気を注入する。その際、バルブ５には、前記注射針の挿入により押し広げられて前記注射針を受け入れる隙間５１が形成される。注入した後、前記注射針をソフトテニスボールから引き出すと、隙間５１がバルブ５の弾性により自動的に塞がって、ソフトテニスボールは気密となる。また、従来のソフトテニスボールは、長い時間が経つと、ソフトテニスボール内部の空気が抜けてしぼむので、しぼんだ度に、空気を注入し直さなければならない。
【考案の概要】
【考案が解決しようとする課題】
【０００４】
しかしながら、従来のソフトテニスボールは、バルブ５が半球部４と異なる素材により作成されて半球部４に接着され、且つ、バルブ５の半球部４に対する接着を強化する部材も有していない。そのため、空気を注入するため注射針を挿入する度に、バルブ５が内側に圧迫され、バルブ５が半球部４から離脱する可能性がある。即ち、従来のソフトテニスボールは、構造が不安定という欠点がある。
【０００５】
したがって、本考案は、従来より構造が安定したソフトテニスボールを提供することを目的とする。
【課題を解決するための手段】
【０００６】
前記目的を達成するための手段として、本考案は、以下のソフトテニスボールを提供する。
【０００７】
本考案のソフトテニスボールは、
ボール空間を内部に囲むように、弾性ゴムにより中空の球体に作成されるボール本体と、前記ボール本体にあるバルブエリアから前記ボール空間に向って突起するよう、前記ボール本体と同じ素材により前記ボール本体と一体的に作成されたゴムバルブ部と、前記ゴムバルブ部内に埋め込まれている気密部と、を備え、前記バルブエリアの外周面には、マーク部が凹設されており、前記気密部は、ゴム含有量が、前記ゴムバルブ部より高いゴム素材により作成されたことを特徴とする。
【考案の効果】
【０００８】
上記構成によれば、ゴムバルブ部は、前記ボール本体と一体的に作成されたため、前記ゴムバルブ部が前記ボール本体から離脱する可能性が従来より低い。よって、本考案に係るソフトテニスボールの構造は従来より安定である。
【図面の簡単な説明】
【０００９】
【図１】従来のソフトテニスボールを示す分解斜視図である。
【図２】従来のソフトテニスボールに隙間が形成された状態を示す部分断面図である。
【図３】本考案に係るソフトテニスボールの実施形態を示す分解斜視図である。
【図４】本実施形態を示す部分断面図である。
【図５】本実施形態を示す断面図であって、空気注入用の注射針を介してソフトテニスボール内に空気を注入している状態を示す。
【図６】本実施形態を示す断面図であって、該注射針をソフトテニスボールから引き出した状態を示す。
【考案を実施するための形態】
【００１０】
以下、本考案に係るソフトテニスボールの実施形態について、図面を参照して説明する。
【００１１】
図３に示されているように、本実施形態は、ボール空間１０を内部に囲むように、弾性ゴムにより中空の球体に作成されるボール本体１００と、ボール本体１００にあるバルブエリア３からボール空間１０に向って突起するよう、ボール本体１００と同じ素材によりボール本体１００と一体的に作成されたゴムバルブ部３１と、ゴムバルブ部３１内に埋め込まれている気密部３２と、を備える。ボール本体１００は、バルブエリア３が含まれる半球殻状の第１の半球部材１と、第１の半球部材１と互いの縁部同士が合着される半球殻状の第２の半球部材２と、から作成されたものである。バルブエリア３は、第１の半球部材１の中央にある。
【００１２】
図４に示されているように、バルブエリア３の外周面には、マーク部１１が凹設されている。ゴムバルブ部３１は、バルブエリア３からボール空間１０へ延伸して中空の柱状になる延伸部３１１と、延伸部３１１の縁部に接続される蓋部３１２と、を有する。延伸部３１１と蓋部３１２は、共に収容空間３０を画成する。気密部３２は、生ゴムにより作成され、収容空間３０内に収容される。前記生ゴムのゴム含有量は、ゴムバルブ部３１及び第１の半球部材１のゴム含有量より高い。ゴムバルブ部３１及び気密部３２を製造するときには、第１の半球部材１と同じ素材を気密部３２に包み覆わせてから、第１の半球部材１と一体的になるよう、前記素材を加熱加硫して成型することで、気密部３２を包み覆う前記素材がゴムバルブ部３１となると共に、気密部３２がゴムバルブ部３１の収容空間３０内に収容される。
【００１３】
図５と図６に示されているように、空気をソフトテニスボール内に注入するときには、空気注入用の注射針９の先端をマーク部１１からボール空間１０まで挿入して、空気を注入する。その際、ゴムバルブ部３１及び気密部３２には、注射針９によりスリット３３が形成される。注入した後、注射針９を本実施形態から引き出すと、スリット３３がゴムバルブ部３１及び気密部３２の弾性により自動的に塞がって、本実施形態は気密となる。また、気密部３２は、ゴム含有量が、ゴムバルブ部３１より高い生ゴムにより作成されたので、気密部３２に形成されたスリット３３がより密接に塞がることにより、本実施形態であるソフトテニスボールの気密性が高くなる。
【００１４】
以上のような構成とされた本実施形態であるソフトテニスボールによれば、ゴムバルブ部３１が第１の半球部材１と一体的に作成されており、気密部３２がゴムバルブ部３１内に収容されているので、ゴムバルブ部３１がボール本体１００から離脱する可能性が従来より低い。よって、本考案に係るソフトテニスボールの構造は従来より安定である。
【００１５】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００１６】
本考案に係るソフトテニスボールは、従来品より壊れにくいソフトテニスボールとしてより高い商品価値を付与することが可能である。
【符号の説明】
【００１７】
１００  ボール本体
１  第１の半球部材
１０    ボール空間
１１    マーク部
２  第２の半球部材
３  バルブエリア
３０    収容空間
３１    ゴムバルブ部
３１１  延伸部
３１２  蓋部
３２    気密部
３３    スリット
９  注射針
【図１】
0003224821.tif 000003
【図２】
0003224821.tif 000004
【図３】
0003224821.tif 000005
【図４】
0003224821.tif 000006
【図５】
0003224821.tif 000007
【図６】
0003224821.tif 000008